(57)【要約】【課題】積層された複数の電池セル２に対してバスバー保持部材９を組付け易い電池モジュール１およびその組付け方法を提供する。【解決手段】電池モジュール１は、陽極と負極の電極端子３、４を一方に備えた複数の電池セル２と、積層された電池セル２相互間に設けられ、嵌合部６、７、１６の一方が形成された絶縁板５と、電池セル２相互間を電気的に接続する複数のバスバー８とを備える。また、電池モジュール１は、バスバー８の各々を固定しバスバー８の相互間に可撓性の連結部１２を有するバスバー保持部材９を備え、かつ、バスバー保持部材９に一体に設けられ嵌合部の一方と嵌合する嵌合部の他方を有する。このように、嵌合部の一方となる突起部６、７と嵌合部の他方となる溝部１６を嵌合させることにより、積層された電池セル２の電極端子３、４とバスバー８との位置が定まる。【選択図】図１
2015065055.tif 000002
【特許請求の範囲】
【請求項１】
陽極と負極の電極端子（３、４）を一方に備えた複数の電池セル（２）と、
積層された前記電池セル（２）の相互間に設けられた複数の絶縁板（５）と、
前記電池セル（２）の相互間を電気的に接続する複数のバスバー（８）と、
前記バスバー（８）の各々を夫々固定する複数のバスバー保持部材（９）と、
隣り合う前記バスバー保持部材を連結する連結部（１２）と、を備え、
前記絶縁板（５）と前記バスバー保持部材（９）との嵌合で嵌合部（６、７、１６）を構成することを特徴とする電池モジュール。
【請求項２】
前記絶縁板（５）は、この絶縁板（５）の厚み方向に対して直交する突起部（６、７）を有し、
前記バスバー保持部材（９）は、前記絶縁板（５）と前記バスバー保持部材（９）との嵌合の際に、前記突起部（６、７）の前記バスバー保持部材（９）に対する嵌合位置を案内する傾斜面（１７、１８）を有する溝部（１６）を備えることを特徴とする請求項１に記載の電池モジュール。
【請求項３】
前記絶縁板（５）と前記バスバー保持部材（９）との嵌合の際に、前記突起部（６、７）の先端が前記傾斜面（１７、１８）の終端に到着した状態において、前記電極端子（３、４）の先端と前記バスバー（８）の表面とが離間することを特徴とする請求項２に記載の電池モジュール。
【請求項４】
前記バスバー（８）は、板状体の四隅が面取りされて形成された面取り部（３０）と、前記バスバー（８）の中央部に形成された切欠き（３１）とを有し、
前記バスバー保持部材（９）は、前記切欠き（３１）に挿入される凸部（３２）を有し、
前記バスバーが前記バスバー保持部材（９）に固定された状態で、前記切欠き（３１）と前記凸部（３２）との間にクリアランスを形成して前記凸部（３２）に前記切欠き（３１）が支持されることを特徴とする請求項１ないし３のいずれか一項に記載の電池モジュール。
【請求項５】
請求項１ないし４のいずれか一項に記載の電池モジュールの組付け方法であって、前記連結部（１２）にて連結された複数の前記バスバー保持部材（９）の中に複数の前記バスバー（８）を収納したバスバーモジュール（１５）を、積層され固定された前記電池セル（２）と前記絶縁板（５）とを含む積層体（２０）の上から被せ、前記嵌合部（６、７、１６）の一方と前記嵌合部（６、７、１６）の他方とを嵌合させることを特徴とする電池モジュールの組付け方法。
【請求項６】
前記嵌合部（６、７、１６）の一方と前記嵌合部（６、７、１６）の他方とを嵌合させて、前記絶縁板（５）と前記バスバー保持部材（９）との相対的位置を固定し、ひいては、前記電極端子（３、４）と前記バスバー（８）との相対的位置を固定してから、前記バスバー（８）内に前記電極端子（３、４）を挿入することを特徴とする請求項５に記載の電池モジュールの組付け方法。
【発明の詳細な説明】
【技術分野】
【０００１】
本発明は、積層された複数の電池セルと、電池セル相互間を電気的に接続する複数のバスバーと、バスバーを保持するバスバー保持部材とを備えた電池モジュールおよびその組付け方法に関するものである。
【背景技術】
【０００２】
従来、特許文献１に記載のバスバーモジュールにおいては、複数積層された各電池セルには、締結接続のためのボルトが設けられている。また、電池セル同士の絶縁を確保するための絶縁板を有する。電池セルと絶縁板とが複数積層されて電池モジュールが形成されている。電池モジュールの電池セル同士を繋ぐ導電性金属から成るバスバーが絶縁部材内に納められている。この絶縁部材同士が可撓性を有する樹脂部材でつながれている。
【先行技術文献】
【特許文献】
【０００３】
【特許文献１】特開２０１２−５９４５１号公報
【発明の概要】
【発明が解決しようとする課題】
【０００４】
上記特許文献１の技術によると、バスバーが収められた絶縁部材同士が可撓性の樹脂部材で接続されている。このため、電池セルの積層公差を吸収しバスバーを組付けることは可能であるが、個々の電池セルと絶縁部材に位置規制が無いため、組付時に個々に絶縁部材の位置を調整してバスバーを組付ける必要があり、組付けに時間を要する。
【０００５】
また、個々に位置を調整する際に、バスバーと電池セルの電極端子を成すボルトが干渉する可能性があり、バスバーの通電接触面をキズつけ通電の信頼性が低下する可能性がある。
【０００６】
本発明は、上記問題点に鑑み、積層された複数の電池セルに対してバスバー保持のための絶縁部材を組付け易い電池モジュールおよびその組付け方法を提供することを目的とする。
【０００７】
従来技術として列挙された特許文献の記載内容は、この明細書に記載された技術的要素の説明として、参照によって導入ないし援用することができる。
【課題を解決するための手段】
【０００８】
本発明は上記目的を達成するために、下記の技術的手段を採用する。すなわち、本発明の一つでは、電池モジュール（１）は、陽極と負極の電極端子（３、４）を一方に備えた複数の電池セル（２）を備える。電池モジュール（１）は、積層された電池セル（２）の相互間に設けられた複数の絶縁板（５）と、電池セル（２）の相互間を電気的に接続する複数のバスバー（８）とを備える。また、電池モジュール（１）は、バスバー（８）の各々を夫々固定する複数のバスバー保持部材（９）と、隣り合うバスバー保持部材（９）を連結する連結部（１２）とを備え、絶縁板（５）とバスバー保持部材（９）との嵌合で嵌合部（６、７、１６）を構成する。
【０００９】
この発明によれば、嵌合部の一方と嵌合部の他方とを嵌合させることにより、積層された絶縁板とバスバー保持部材の位置が定まる。従って、電池セルの電極端子とバスバーの位置も定まり、積層された複数の電池セルに対して、バスバー保持部材を組付け易い電池モジュールが得られる。
【００１０】
次に、絶縁板（５）は、この絶縁板（５）の厚み方向に対して直交する突起部（６、７）を有する。バスバー保持部材（９）は、絶縁板（５）とバスバー保持部材（９）との嵌合の際に、突起部（６、７）のバスバー保持部材（９）に対する嵌合位置を案内する傾斜面（１７、１８）を有する溝部（１６）を備える。
【００１１】
この発明によれば、嵌合部の一方を成す突起部が、傾斜面を滑って溝部から成る嵌合部の他方と嵌合することができ、バスバー保持部材と積層された電池セルとの位置合わせが容易である。
【００１２】
次に、絶縁板（５）とバスバー保持部材（９）との嵌合の際に、突起部（６、７）の先端が傾斜面（１７、１８）の終端に到着した状態において、電極端子（３、４）の先端とバスバー（８）の表面とが離間する。
【００１３】
この発明によれば、突起部が傾斜面を滑り終えて、バスバー保持部材と積層された電池セルとの位置合わせが終了した後に、電極端子の先端がバスバー内に挿入されるから、電極端子がバスバーに擦れてバスバーの表面をキズ付けることがない。
【００１４】
次に、電池モジュールの組付け方法において、連結部（１２）にて連結された複数のバスバー保持部材（９）の中に複数のバスバー（８）を収納してバスバーモジュール（１５）を形成する。そして、このバスバーモジュール（１５）を、積層され固定された電池セル（２）と絶縁板（５）とを含む積層体（２０）の上から被せ、嵌合部（６、７、１６）の一方と嵌合部（６、７、１６）の他方とを嵌合させる。
【００１５】
この発明によれば、バスバーモジュールとして構成された一部品を積層体の上に被せて一気に組付けることができるため、組付けが容易である。
【００１６】
次に、嵌合部（６、７、１６）の一方と嵌合部（６、７、１６）の他方とを嵌合させて、絶縁板（５）とバスバー保持部材（９）との相対的位置を固定し、ひいては、電極端子（３、４）とバスバー（８）との相対的位置を固定する。この固定が成されてから、バスバー（８）内に電極端子（３、４）を挿入する。
【００１７】
この発明によれば、電池セルの電極端子とバスバーとの相対的位置を固定してから、バスバー内に電極端子を挿入するから、電極端子でバスバーの表面にキズを付けたり、組付けに時間がかかりすぎたりしない。
【００１８】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００１９】
【図１】本発明の第１実施形態を成す電池モジュールの正面図である。
【図２】上記実施形態における複数の電池セルが積層された電池モジュールの一部を示す斜視図である。
【図３】上記実施形態における一つの電池セルを示す斜視図である。
【図４】上記実施形態における一つの絶縁板を示す斜視図である。
【図５】上記実施形態における連結されたバスバー保持部材の二組を並置して示す摸式的な斜視図である。
【図６】上記実施形態におけるバスバー保持部材内にバスバーを挿入する状態を示す説明図である。
【図７】上記実施形態におけるバスバー保持部材の一部を示す正面図である。
【図８】上記実施形態におけるバスバー保持部材と積層された電池セルとの寸法関係を説明する説明図である。
【図９】本発明の第２実施形態における電池モジュールに使用するバスバー保持部材の一部平面図である。
【発明を実施するための形態】
【００２０】
以下に、図面を参照しながら本発明を実施するための複数の形態を説明する。各形態において先行する形態で説明した事項に対応する部分には同一の参照符号を付して重複する説明を省略する場合がある。各形態において構成の一部を説明している場合は、構成の他の部分については先行して説明した他の形態を適用することができる。
【００２１】
各実施形態で具体的に組合せが可能であることを明示している部分同士の組合せばかりではなく、特に組合せに支障が生じなければ、明示していなくても実施形態同士を部分的に組合せることも可能である。
【００２２】
（第１実施形態）
以下、本発明の第１実施形態について図１ないし図８を用いて詳細に説明する。図１は、本発明の第１実施形態を成す電池モジュール（電池セルスタックとも言う）１を示している。積層された複数の電池セル２の夫々は、陽極と負極の電極端子３、４を一方（図１の上方）に備える。
【００２３】
図２は、複数の電池セル２が積層された電池モジュール１の一部である電池セル２の積層体２０を示している。図２において、電池セル２相互間に、合成樹脂から成る絶縁板５が設けられている。この絶縁板５は、長方形の板状部材から成り一方に突出した２本の突起部６、７（嵌合部の一方とも言う）が一体に成型されている。絶縁板５は、電池セル２相互間を絶縁する。
【００２４】
電池セル２相互間は、図１において破線で示される金属製のバスバー８で電気的に接続される。具体的には、電極端子３、４がバスバー８の二つの孔内に通され、図示しないナットで締め付けられて、図１の矢印Ｙ１１にて示す積層方向において隣り合う電池セル２の電極端子３、４がバスバーで接続され、各電池セル２は直列に接続される。
【００２５】
バスバー８の各々は、合成樹脂で成型されたバスバー保持部材９内に収納される。バスバー保持部材９は、一方端が開放された容器であり、この容器内の底にバスバー８が置かれている。バスバー８とバスバー保持部材９とは図示しないスナップアクション機構等で結合される。
【００２６】
図３は、一つの電池セル２を示している。また、図４は、一つの絶縁板５を示している。電池モジュール１は、単位電池とも呼ばれる複数の電池セル２を積層して形成されている。電池セル２の夫々は、缶タイプと呼ばれるものであり、上方にプラスとマイナスの電極端子３、４を有する。この電池セル２を積層して５００ｋｇないし１トンの一定圧力で加圧し、剛性の高い金属の拘束体で積層方向に電池セル２の積層体２０が延びないように拘束している。上記剛性の高い金属の拘束体としては、図視しないコの字状の拘束バンドおよび両端の圧接板が使用される。なお、圧接板はエンドプレートとも呼ばれ、両側から電池セル２の積層体２０を拘束する。この拘束バンドが伸びない限り電池セル２が膨張することが無い。
【００２７】
これによって、電池セル２に電流が流れた場合における電池セル２の膨張を抑制し、電池セル２の性能低下を防止している。各電池セル２の位置は、積層時のずれおよび寸法ばらつきにより製品間で微妙に異なる。
【００２８】
電池セル２の電極端子３、４間には、電池セル２内でガスが発生した場合に開放してガスを安全な場所に導くための図示しない排煙部となる切り込み部が設けられている。排煙部は常時は閉塞しているが、ガスの圧力で開いて排煙する。排煙されたガスは、図示しない排煙ダクト内に導かれ、所定の場所に排出される。排煙ダクトは、金属製又は合成樹脂製のＵ字状チャンネル等から成る。
【００２９】
複数のバスバー８および複数のバスバー保持部材９は、電池セル２の電極端子３、４間を接続するために積層方向に並置されている。
【００３０】
バスバー８は、隣接する電池セル２の電極端子３、４が接続される２つの端子結合孔を有する。この端子結合孔の中に電極端子３、４が挿入されて接続される。これにより複数の電池セル２は直列に接続される。
【００３１】
前述のように、電池セル２を積層して加圧し、剛性の高い金属の拘束バンドで積層方向に延びないように拘束している。しかし、電池セル２の位置は、寸法公差の範囲内でばらつきが生じる。
【００３２】
このように、各電池セル２の位置は、積層時のずれおよび寸法ばらつきに伴う寸法誤差により製品間で微妙に異なる。一方、バスバー８は、端子結合孔の中に電極端子３、４が挿入されて接続される。これにより、バスバー８の位置、ひいては、バスバー保持部材９の位置と各電池セル２の位置とを合わせるための寸法誤差吸収部が必要となる。
【００３３】
図５は、積層された電池セル２の上から一組毎に被せられる連結されたバスバー保持部材９の二組を示している。この図５はバスバー８の位置がわかり易いように、バスバー保持部材９が透明樹脂で作られているかのように一部透視して摸式的に描いている。実際は、バスバー保持部材９は透明ではないためバスバー８の一部は見えない。図６は、バスバー保持部材９内にバスバー８を矢印Ｙ６１のように挿入する状態を示している。
【００３４】
２つの端子結合孔１０、１１を有するバスバー８相互間に可撓性の有る連結部１２を有する。この連結部１２は、バスバー保持部材９と一体に樹脂成型されている。複数のバスバー保持部材９は、連結部１２によって一体化され、かつ、各バスバー保持部材９内に、バスバー８が収納される。このバスバー８が収納された一連のバスバー保持部材９（連結部１２によって連結された複数のバスバー保持部材９）をバスバーモジュール１５という。
【００３５】
図７は、バスバー保持部材９の一部を示している。このバスバー保持部材９は、合成樹脂から成る射出成型品である。バスバー保持部材９の側面には一体に嵌合部６、７、１６の一方である突起部６、７（図１）と嵌合する嵌合部６、７、１６の他方と成る溝部１６を有する。この溝部１６は、一対の相対向する傾斜面１７、１８を有する。突起部６、７が溝部１６内に挿入されると突起部６、７の先端が傾斜面１７、１８の一方を滑り、突起部６、７が溝部１６内の非傾斜面１９に案内される。
【００３６】
一対の傾斜面１７、１８は、その傾斜面１７、１８相互間の幅が、突起部６、７が挿入されるに従って小さくなり、相対向する非傾斜面１９では幅が一定となる。突起部６、７の先端が傾斜面１７、１８を滑って案内され、非傾斜面１９相互間に挿入されたときに、積層された電池セル２とバスバー保持部材９との位置関係が定まる。
【００３７】
バスバー保持部材９は、電池セル２相互間を電気的に接続するための導電性金属であるバスバー８を固定し、かつバスバー８同士を絶縁し、更に電池モジュール１の積層公差を吸収するため可撓性構造である連結部１２を備えた絶縁部材から成る。つまり、可撓性構造は、連結部１２を兼ねている。また、連結部１２相互間の中央に、嵌合部６、７、１６の他方を成す溝部１６を有している。溝部１６は、図６のようにバスバー保持部材９の側面に盛り上がって一体形成された相対向するリブによって形成されている。
【００３８】
電池モジュール１を構成する絶縁板５に嵌合部６、７、１６の一方と成る突起部６、７を有している。突起部６、７の先端は、図４のように面取り加工がなされている。バスバー保持部材９に嵌合部６、７、１６の他方と成る溝部１６を有している。突起部６、７および溝部１６のいずれか、もしくは両方にテーパ形状を有している。この実施形態のテーパ形状は、上記傾斜面１７、１８によって形成される。
【００３９】
電池モジュール１の公差最大箇所において、組付け時にガイド部となる突起部６、７を、ガイド受け部と成る溝部１６に挿入可能である。また組付後に、ガイド部となる突起部６、７とガイド受け部となる溝部１６の中心が一致する。
【００４０】
このように、嵌合部６、７、１６の一方を成す突起部６、７は、積層された電池セルを案内するガイド部として機能する。嵌合部６、７、１６の他方を成す溝部１６は、バスバー保持部材９を案内するガイド部として機能する。この突起部６、７と溝部１６の関係は逆にしても良い。この場合は、バスバー保持部材９に突起部６、７が設けられ、絶縁板５に溝部１６が設けられる。
【００４１】
バスバー８は、有害なキズ゛が無いように管理しており、ボルトの干渉により有害なキズが発生する懸念が有る。このキズは、例えば打痕、削れ等によるバリの発生、又は、めっきをしている場合におけるめっき層削れを含む。
【００４２】
図８を用いて、バスバー保持部材９と積層された電池セル２との寸法関係および電池モジュール１の組付け方法を説明する。図８は、積層された電池セル２の上端２１からバスバー保持部材９の下端２２までの寸法がＤである状態を図示している。
【００４３】
この状態では、突起部６、７の先端が、まだ溝部１６内に挿入されていない。電池セル２の上端２１から電極端子３、４の先端までの長さがＣである。よって、図８において、バスバー保持部材９の下端２２から電極端子３、４の先端までの長さは、Ｄ−Ｃとなる。
【００４４】
一方、電池セル２の上端２１から突起部６、７の先端までの長さはＢである。また、電池セル２の上端２１から溝部１６の傾斜面１７、１８の上端までの長さがＡである。よって、突起部６、７の先端から溝部１６の傾斜面１７、１８の上端までの長さは、Ａ−Ｂと成る。
【００４５】
積層体２０にバスバー８およびバスバー保持部材９を組付ける時、突起部６、７が溝部１６に向けて移動し始め、突起部６、７の先端が傾斜面１７、１８に案内されなくなるまでの突起部６、７の先端移動距離は、上記Ａ−Ｂとなる。そして、上記Ａ−Ｂは、上記Ｄ−Ｃよりも小さく設定されている。
【００４６】
この寸法関係によれば、突起部６、７をバスバー保持部材９に近づけて寸法Ａが小さくなると、突起部６、７の先端が傾斜面１７、１８に当接して滑り始める。突起部６、７が傾斜面１７、１８を滑り終えて、Ａ−Ｂがゼロに成ると、突起部６、７が非傾斜面１９相互間の隙間内に挿入される。この結果、バスバー保持部材９と積層された電池セル２との間の図８における左右方向の位置が決定される。突起部６、７の幅Ｅは、隙間の幅Ｆよりもわずかに小さくされている。
【００４７】
Ａ−Ｂがゼロに成ってから、電極端子３、４の先端がバスバー８の下面位置に到達する。すなわちＤ−Ｃがゼロに成る。つまり、Ａ−Ｂがゼロに成ってから、後にＤ−Ｃがゼロに成る。このように、Ａ−Ｂの方がＤ−Ｃよりも小さく設定されている（Ａ−Ｂ＜Ｄ−Ｃ）。
【００４８】
これによれば、バスバー保持部材９と積層された電池セル２との位置合わせが終了した後に、電極端子３、４の先端がバスバー８の端子結合孔１０、１１（図６）内に挿入される。よって、電極端子３、４がバスバー８に擦れてバスバー８の表面をキズ付けることがない。
【００４９】
つまり、ガイドを成す突起部６、７とガイド受け部を成す溝部１６の中心が一致するまでの高さが、電池セル２の電極端子３、４の上先端高さがバスバー８の下面高さと一致するまでの高さより低いことを意味している。これにより、電極端子３、４がバスバー８の下面にキズを付けることが抑制できる。
【００５０】
このように、電池モジュール１を構成する絶縁板５の突起部６、７がガイド部を構成している。この絶縁板５は、電池セル２相互間に挟まれている。そして、突起部６、７の中心が、積層された電池セル２相互間の中心に一致している。積層された電池セル２に対して、バスバー保持部材９が案内されて突起部６、７が溝部１６内に嵌合し終えたとき、溝部１６の中心位置が、絶縁板５を間に置いて隣り合う電池セル２同士の中心となる。
【００５１】
電池モジュール１は、陽極と負極の電極端子３、４を一方に備えた複数の電池セル２と、積層された電池セル２相互間に設けられ、嵌合部６、７、１６の一方が形成された絶縁板５とを備える。
【００５２】
また、電池モジュール１は、電池セル２相互間を電気的に接続する複数のバスバー８と、バスバー８の各々を固定しバスバー８相互間に連結部１２を有するバスバー保持部材９とを備える。かつ、電池モジュール１は、バスバー保持部材９に一体に設けられ嵌合部６、７、１６の一方（突起部６、７）と嵌合する嵌合部６、７、１６の他方（溝部１６）を有している。なお、突起部６、７と溝部１６の位置は逆でも良い。
【００５３】
これによれば、嵌合部６、７、１６の一方と嵌合部６、７、１６の他方とを嵌合させることにより、積層された絶縁板５とバスバー保持部材９の位置が定まる。ひいては、電池セル２の電極端子３、４とバスバー８の位置も定まる。
【００５４】
次に、嵌合部６、７、１６の一方は、積層された電池セル２を案内するガイド部として機能する突起部６、７から成る。また、嵌合部６、７、１６の他方は、バスバー保持部材９を案内するガイド受け部として機能する相対向する傾斜面１７、１８を有する溝部１６から成る。これによれば、嵌合部６、７、１６の一方を成す突起部６、７が、傾斜面１７、１８を滑って溝部１６から成る嵌合部６、７、１６の他方と嵌合することができる。
【００５５】
次に、突起部６、７が溝部１６に向けて移動し始め突起部６、７の先端が傾斜面１７、１８に案内されなくなるまでの移動距離である突起部６、７の先端から溝部１６内の傾斜面１７、１８の終端までの寸法をＡ−Ｂとしている。この寸法Ａ−Ｂが、突起部６、７が溝部１６に向けて移動し始めたときの電極端子３、４の先端からバスバー８の表面までの寸法Ｄ−Ｃよりも小さく設定されている。
【００５６】
これによれば、突起部６、７が傾斜面１７、１８を滑り終えて、バスバー保持部材９と積層された電池セル２との位置合わせが終了した後に、電極端子３、４の先端がバスバー８内に挿入される。
【００５７】
次に、連結部１２にて連結された複数のバスバー保持部材９の中に複数のバスバー８を収納したバスバーモジュール１５を、図８のように、積層され固定された電池セル２と絶縁板５とを含む積層体２０の上から被せている。その上で、嵌合部６、７、１６の一方と嵌合部６、７、１６の他方とを嵌合させている。これによれば、バスバーモジュール１５として構成された一部品を積層体２０の上に被せて一気に組付けることができるため、組付けが容易である。
【００５８】
次に、嵌合部６、７、１６の一方と嵌合部６、７、１６の他方とを嵌合させて、絶縁板５とバスバー保持部材９との相対的位置を固定し、ひいては、電池セル２の電極端子３、４とバスバー８との相対的位置を固定している。この相対的位置の固定を行ってから、バスバー８内に電極端子３、４を挿入している。
【００５９】
従って、電池セル２の電極端子３、４とバスバー８との相対的位置を固定してから、バスバー８内に電極端子３、４を挿入するから、電極端子３、４でバスバー８の表面にキズを付けたり、組付けに時間がかかりすぎたりしない。
【００６０】
（第１実施形態の作用効果）
上記実施形態においては、電池モジュール１は、陽極と負極の電極端子３、４を一方に備えた複数の電池セル２と、積層された電池セル２の相互間に設けられた複数の絶縁板５と、電池セル２の相互間を電気的に接続する複数のバスバー８とを備える。また、電池モジュール１は、バスバー８の各々を夫々固定する複数のバスバー保持部材９と、バスバー保持部材９同士を連結する連結部１２とを備え、絶縁板５とバスバー保持部材９との嵌合で嵌合部６、７、１６を構成する。
【００６１】
これによれば、嵌合部６、７、１６の一方と嵌合部６、７、１６の他方とを嵌合させることにより、積層された絶縁板とバスバー保持部材の位置が定まる。従って、電池セルの電極端子とバスバーの位置も定まり、積層された複数の電池セルに対して、バスバー保持部材を組付け易い電池モジュールが得られる。
【００６２】
次に、絶縁板５は、この絶縁板５の厚み方向に対して直交する突起部６、７を有する。バスバー保持部材９は、絶縁板５とバスバー保持部材９との嵌合の際に、突起部６、７のバスバー保持部材９に対する嵌合位置を案内する傾斜面１７、１８を有する溝部１６を備える。
【００６３】
これによれば、嵌合部６、７、１６の一方を成す突起部６、７が、傾斜面を滑って溝部１６から成る嵌合部６、７、１６の他方と嵌合することができ、バスバー保持部材と積層された電池セルとの位置合わせが容易である。
【００６４】
次に、絶縁板５とバスバー保持部材９との嵌合の際に、突起部６、７の先端が傾斜面１７、１８の終端に到着した状態において、電極端子３、４の先端とバスバー８の表面とが離間する。
【００６５】
これによれば、突起部が傾斜面を滑り終えて、バスバー保持部材と積層された電池セルとの位置合わせが終了した後に、電極端子の先端がバスバー内に挿入されるから、電極端子がバスバーに擦れてバスバーの表面をキズ付けることがない。
【００６６】
次に、電池モジュールの組付け方法においては、連結部１２にて連結された複数のバスバー保持部材９の中に複数のバスバー８を収納してバスバーモジュール１５を形成する。そして、このバスバーモジュール１５を、積層され固定された電池セル２と絶縁板５とを含む積層体２０の上から被せ、嵌合部６、７、１６の一方（突起部６、７）と嵌合部６、７、１６の他方（溝部１６）とを嵌合させる。
【００６７】
これによれば、バスバーモジュールとして構成された一部品を積層体の上に被せて一気に組付けることができるため、組付けが容易である。
【００６８】
次に、嵌合部６、７、１６の一方と嵌合部６、７、１６の他方とを嵌合させて、絶縁板５とバスバー保持部材９との相対的位置を固定し、ひいては、電極端子３、４とバスバー８との相対的位置を固定する。この固定が成されてから、バスバー８内に電極端子３、４を挿入する。
【００６９】
これによれば、電池セルの電極端子とバスバーとの相対的位置を固定してから、バスバー内に電極端子を挿入するから、電極端子でバスバーの表面にキズを付けたり、組付けに時間がかかりすぎたりしない。
【００７０】
（第２実施形態）
次に、本発明の第２実施形態について説明する。なお、以降の各実施形態においては、上記した第１実施形態と同一の構成要素には同一の符号を付して説明を省略し、異なる構成について説明する。なお、第２実施形態以下については、第１実施形態と同じ符号は、同一の構成を示すものであって、先行する説明が援用される。
【００７１】
図９は、本発明の第２実施形態におけるバスバー保持部材９の一部を示している。また、バスバー８の四隅に面取り部３０が形成されている。なお、図９は、角部を直線状にカットした面取り部３０として図示しているが、曲面状に角部をカットして面取り部３０を形成してもよい。
【００７２】
バスバー８の中央部には、相対向する切欠き３１が設けられている。合成樹脂の収納容器となるバスバー保持部材９の凸部３２が切欠き３１内に挿入され、バスバー８がバスバー保持部材９内に保持されている。バスバー保持部材９の凸部３２と切欠き３１との間には、適度なクリアランスが設定されている。
【００７３】
バスバー８の四隅に面取り部３０が形成されているため、バスバー８がバスバー保持部材９内で多少傾いたりローリングしたりすることが容易である。これによって、バスバー保持部材９が連結部１２のねじれ等により位置ずれしても、バスバー８が電池セル２の電極端子３、４に正確に取りつけ易くなる。
【００７４】
（第２実施形態の作用効果）
上記第２実施形態においては、バスバー保持部材９内に収納されたバスバー８の四隅に面取り部３０が形成されている。かつ、バスバー８の中央部の切欠き３１が、バスバー保持部材９の凸部３２にクリアランスを介して支持されている。
【００７５】
換言すれば、バスバー８は、板状体の四隅が面取りされて形成された面取り部３０と、バスバー８の中央部に形成された切欠き３１とを有する。バスバー保持部材９は、切欠き３１に挿入される凸部３２を有する。バスバー８がバスバー保持部材９に固定された状態で、切欠き３１と凸部３２との間にクリアランスを形成して凸部３２に切欠き３１が支持される。
【００７６】
これによれば、バスバー８が容易にバスバー保持部材９の中でローリングしたり傾いたりすることができる。従って、連結部１２等によりバスバー保持部材９にねじれがあっても正しくバスバー８を電極端子３、４に取り付けることができる。
【００７７】
（他の実施形態）
上記の実施形態では、本発明の好ましい実施形態について説明したが、本発明は上記した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、更に特許請求の範囲の記載と均等の意味および範囲内での全ての変更を含むものである。
【００７８】
上記実施形態においては、連結部１２に可撓性を持たせている。つまり連結部１２を柔らかい樹脂部材で形成している。このために連結部１２の樹脂の肉厚を薄くすることは有益である。また、連結部１２が、形状的に曲がり部分（ベント機構）を有し、曲がり易くされていることも有益である。しかし、連結されたバスバー保持部材の可撓性のある部分を連結部１２に設けなくても良い。要は、バスバー保持部材９の一部に曲がり易い、あるいは、伸縮し易い部分を構成すればよい。
【符号の説明】
【００７９】
１  電池モジュール
２  電池セル
３、４  電極端子
５  絶縁板
６、７  突起部（嵌合部の一方）
６、７、１６  嵌合部
９  バスバー保持部材
１２  連結部
１６  溝部（嵌合部の他方）
１７、１８  傾斜面
【図１】
2015065055.tif 000003
【図２】
2015065055.tif 000004
【図３】
2015065055.tif 000005
【図４】
2015065055.tif 000006
【図５】
2015065055.tif 000007
【図６】
2015065055.tif 000008
【図７】
2015065055.tif 000009
【図８】
2015065055.tif 000010
【図９】
2015065055.tif 000011